(57)【要約】【課題】  携帯用容器の陳列性や自動販売機への収納性を損なうことなく、添加物などの付属物を収容することが可能な携帯用容器のキャップを提供する。【解決手段】    携帯飲料を収容する容器体１１には円筒状の飲み口部１２が設けられている。飲み口部１２の外側には、飲み口部１２の開口部１６を覆う蓋部１８に一体に設けられる内筒１９が止め付けられている。内筒１９の外方には、蓋部１８に一体に設けられる外筒２０が配置されている。内筒１９と外筒２０との間には付属物を収容する収容室２１が区画形成されている。このような蓋部１８と内筒１９と外筒２０とによりキャップ１７が構成されている。【選択図】    図１ 
2005306388.tif 000002
【特許請求の範囲】
【請求項１】
携帯飲料を収容する容器体に設けられる円筒状の飲み口部に装着される携帯用容器のキャップであって、
前記飲み口部の開口部を覆う蓋部に一体に設けられ、前記飲み口部の外側に止め付けられる内筒と、
前記内筒の外方に配置させて前記蓋部に一体に設けられ、付属物を収容する収容室を前記内筒との間で区画形成する外筒とを有することを特徴とする携帯用容器のキャップ。
【請求項２】
請求項１記載の携帯用容器のキャップにおいて、前記内筒を備え前記飲み口部の前記開口部を覆う小型キャップ部と、前記蓋部と前記外筒とを備え前記小型キャップ部の天壁部に接着される大型キャップ部とを有することを特徴とする携帯用容器のキャップ。
【請求項３】
請求項１または２記載の携帯用容器のキャップにおいて、前記飲み口部に向けて放射状に配置される隔壁を前記外筒に設け、前記収容室を複数の分室に仕切ることを特徴とする携帯用容器のキャップ。
【発明の詳細な説明】
【技術分野】
【０００１】
本発明は携帯飲料を収容する携帯用容器の飲み口部に装着されるキャップに関する。
【背景技術】
【０００２】
コーヒー、紅茶、スポーツドリンクなどの飲料物は、ペットボトル、アルミ缶やスチール缶などの携帯用容器に収容されて、自動販売機や小売店などに陳列され販売されている。携帯用容器の寸法形状は、自動販売機内部の収納スペースや小売店での陳列スペースとの関係において定められ、その内容量も２５０ｍｌ、３５０ｍｌなど統一的に管理されている。
【０００３】
携帯飲料を収容する携帯用容器のなかには、円柱状ないし角柱状の容器体の一部に円筒状の飲み口部を突設するものがあり、その飲み口部は容器体内部に飲料物を充填したり、容器体内部に収容された飲料物を飲んだり、他の容器に注いだりする際に使用される。
【０００４】
携帯飲料のなかには、ミルク入りコーヒーのように複数の原料を混合して製造されるものがある。携帯飲料には賞味期限があるが、かかる賞味期限はそれぞれの原料を混合した状態での飲料物の品質保持期限に基づいて定められる。そして、甘さや苦味など飲料物の風味は商品ごとに管理されており、購入者は自らの嗜好に近い商品を購入している。
【発明の開示】
【発明が解決しようとする課題】
【０００５】
ミルクとコーヒーのように異種の原料を混合して製造された飲料物は、それぞれの原料の風味を損ない易く、本来の味わいを長期間保つことが困難である。また、それぞれの原料が有する品質保持期限が、異種の原料と混合されることによって短くなってしまうことがある。携帯飲料の商品数に対して飲料物に対する嗜好は各人各様であり、携帯飲料といえども、購入者の嗜好に合わせて味わいを調節できることが好ましい。
【０００６】
そこで、風味を損ない易いものや混合することによって品質保持期限が短くなってしまう原料は予め混合せずに添加物として持ち運び、飲む直前に購入者の嗜好に合わせて飲料物に適量添加する方法が考えられるが、この方法を採用する場合には、そのような添加物を容易に携帯できることが求められる。また、昨今の携帯飲料には、食品玩具などの販促用品が付されることがあるが、陳列棚に陳列したときかさ張ることのないように、携帯用容器に対してコンパクトに付されることが望ましい。
【０００７】
本発明の目的は、携帯用容器の陳列性や自動販売機への収納性を損なうことなく、添加物などの付属物を収容することが可能な携帯用容器のキャップを提供することにある。
【課題を解決するための手段】
【０００８】
本発明の携帯用容器のキャップは、携帯飲料を収容する容器体に設けられる円筒状の飲み口部に装着される携帯用容器のキャップであって、前記飲み口部の開口部を覆う蓋部に一体に設けられ、前記飲み口部の外側に止め付けられる内筒と、前記内筒の外方に配置させて前記蓋部に一体に設けられ、付属物を収容する収容室を前記内筒との間で区画形成する外筒とを有することを特徴とする。
【０００９】
本発明の携帯用容器のキャップは、前記内筒を備え前記飲み口部の前記開口部を覆う小型キャップ部と、前記蓋部と前記外筒とを備え前記小型キャップ部の天壁部に接着される大型キャップ部とを有することを特徴とする。
【００１０】
本発明の携帯用容器のキャップは、前記飲み口部に向けて放射状に配置される隔壁を前記外筒に設け、前記収容室を複数の分室に仕切ることを特徴とする。
【発明の効果】
【００１１】
本発明によれば、飲み口部の外周に存在する空きスペースを添加物などの付属物を収容するための収容室に区画形成することができる。収容室に収容された付属物は、携帯用容器を持ち運ぶ際にも落下することなく持ち運ぶことができ、キャップの開封と同時に取り出すことができ、外筒及び蓋部に覆われているので外部衝撃に対しても安全である。
【００１２】
飲料物を飲む直前に付属された添加物を添加することによって、飲料物の本来の風味を十分に活かすことができる。添加量を調節することによって各人の嗜好に合わせて風味を変えることができる。混合することによって短くなってしまう飲料物の品質保持期限を延ばすことができる。
【００１３】
本発明によれば、飲み口部の外周に存在する空きスペースを利用して収容室を区画形成しているので、携帯用容器の陳列性や自動販売機への収納性を損なうことがない。
【００１４】
本発明によれば、飲み口部に向けて放射状に配置される隔壁を外筒に設け、収容室を複数の分室に仕切ることにより、複数種類の付属物をそれぞれの分室に種類毎に分別して収容することができる。隔壁を設けることによりキャップの剛性を高めることができ、例えば、キャップをねじ回して開封する際に付属物を破損してしまう危険性を減らすことができる。
【００１５】
本発明によれば、常用されている飲料用ボトルのキャップを小型キャップ部として用いることにより、製造コストの削減を図ることができる。飲み口部に向けて放射状に配置される隔壁は、小型キャップ部に大型キャップ部を取り付ける際の位置決めとして利用することができる。
【発明を実施するための最良の形態】
【００１６】
以下、本発明の実施の形態を図面に基づいて詳細に説明する。
【００１７】
図１は本発明の一実施の形態を示す一部切り欠き正面図である。携帯用容器１０は従来一般に用いられる携帯用容器と同様の構造を備えている。つまり、携帯用容器１０は携帯飲料を収容するための有底筒状の容器体１１を有しており、容器体１１の上部には円筒状の飲み口部１２が容器体１１と一体となって形成されている。
【００１８】
図示する容器体１１は、支持基盤としての底板部１３と、この底板部１３の外縁に沿って垂直方向に延びて設けられる円筒状の側板部１４と、この側板部１４に連なって飲み口部１２を支持する肩部１５とを有しており、底板部１３、側板部１４、肩部１５、及び飲み口部１２のそれぞれは一体に形成されている。飲み口部１２の外径は側板部１４の外径よりも小さく設定されており、肩部１５の上方には飲み口部１２の外周を取り囲むように空きスペースが存在している。飲み口部１２の一端部は図示上方に向けて開口する開口部１６となっており、この開口部１６から容器体１１の内部に飲料物を注ぎ込んだり、容器体１１内部に収容された飲料物を飲んだり、他の容器に注いだりすることができる。
【００１９】
飲み口部１２を介して異物が混入したり、携帯用容器１０を持ち運ぶ際に中身の飲料物がこぼれたりしないように、飲み口部１２にはキャップ１７が着脱自在に装着される。キャップ１７は、開口部１６を覆う蓋部１８と、この蓋部１８に一体に設けられ飲み口部１２の外側に止め付けられる内筒１９と、この内筒１９の外方に配置させて蓋部１８に一体に設けられる外筒２０とを有している。
【００２０】
蓋部１８は側板部１４の外径とほぼ同径の円板状の部位であり、この蓋部１８の片面には内筒１９と外筒２０とが一体として設けられている。内筒１９の内周側面には飲み口部１２の外周側面に形成された雄ねじ部とねじ結合する雌ねじ部が形成されている。よって、キャップ１７の内筒１９を飲み口部１２にねじ込むことによって、内筒１９が飲み口部１２の外側に止め付けられ、キャップ１７が飲み口部１２に着脱自在に装着されるようになっている。
【００２１】
外筒２０の外径は側板部１４の外径とほぼ同径つまり内筒１９の外径よりも大きく、内筒１９と外筒２０との間には円環状の収容室２１が区画形成されている。この収容室２１には種々の付属物２２を収容することができる。その一例として、図示する場合には、図示省略した容器に収容されるミルク２２ａとシロップ２２ｂとを収容している。
【００２２】
図２は図１におけるＡ−Ａ線に沿う方向の断面図であり、図１に示される部材と同一の部材には同一の符号が付されている。外筒２０には飲み口部１２に向けて放射状に配置される隔壁２３が設けられており、収容室２１は略扇形の複数の分室２１ａ〜２１ｃに仕切られている。これより、分室２１ａにはミルク２２ａ、分室２１ｂには通常のシロップ２２ｂ、分室２１ｃにはダイエット用のシロップ２２ｃというように複数種類の付属物２２をそれぞれの分室２１ａ〜２１ｃに種類毎に分別して収容することができる。図示するように、内筒１９と外筒２０に橋渡されるように隔壁２３を設ければ回転力に対するキャップ１７の強度を高めることができ、キャップ１７を掴んでねじ回す際など外部衝撃が作用する際に付属物２２が破裂ないし破損する危険性を減らすことができる。
【００２３】
キャップ１７の外筒２０は携帯用容器１０の側板部１４と同軸上に配置されており、図１及び図２に示される場合にあっては、キャップ１７が装着された携帯用容器１０は全体として円柱状となっている。つまり、収容室２１を形成するキャップ１７を携帯用容器１０の飲み口部１２に装着しても、自動販売機内部への収納性や小売店の陳列棚への陳列性を損なうことはない。
【００２４】
図３（Ａ）は図１に示されるキャップを取り出して示す正面図であり、図３（Ｂ）は小型キャップ部と大型キャップ部により構成されるキャップの構成を示す一部切り欠き正面図であり、図１に示される部材と同様の部材には同一の符号が付されている。
【００２５】
携帯用容器１０のキャップ１７は、蓋部１８と内筒１９と外筒２０とを一体成形することにより製造しても良いが（図３（Ａ）参照）、常用されている飲料用ボトルのキャップ（汎用キャップ）を用いて製造しても良い。図３（Ｂ）に示される場合にあっては、キャップ１７は、内筒１９を備え飲み口部１２の開口部１６を覆う小型キャップ部１７ａと、蓋部１８と外筒２０とを備え小型キャップ部１７ａの天壁部に接着される大型キャップ部１７ｂとにより構成されており、小型キャップ部１７ａの天壁部に塗布された接着剤２４には大型キャップ１７ｂの蓋部１８が接着している。このような小型キャップ部１７ａとしては、汎用キャップをそのままの状態で利用することができ、その場合には、製造コストの削減を図ることができる。飲み口部１２に向けて放射状に配置される隔壁２３は、収容室２１を複数の分室に仕切ったり、キャップ１７の剛性を高めたりすることに加え、小型キャップ部１７ａに大型キャップ部１７ｂを取り付ける際の位置決めとして利用することができる。
【００２６】
本発明は前記実施の形態に限定されるものではなく、その要旨を逸脱しない範囲内において種々変更可能である。たとえば、飲み口部が突設された携帯用容器であれば本発明を適用することができ、樹脂製のペットボトルや、アルミ製やスチール製のボトルなど容器の材質を問わず適用することができる。収容室２１にはティーバッグや食品玩具などを収容することも可能であり、添加物も液状、粉状、粒状、ゲル状などいずれでも良い。
【００２７】
蓋部１８及び外筒２０の外径は側板部１４の外径以下であればこれと一致させる必要はない。携帯用容器１０の形状にあわせて、蓋部１８及び外筒２０の形状を多角形状にすることも可能である。
【図面の簡単な説明】
【００２８】
【図１】本発明の一実施の形態を示す一部切り欠き正面図である。
【図２】図１におけるＡ−Ａ線に沿う方向の断面図である。
【図３】（Ａ）は図１に示されるキャップを取り出して示す正面図であり、（Ｂ）は小型キャップ部と大型キャップ部により構成されるキャップの構成を示す一部切り欠き正面図である。
【符号の説明】
【００２９】
１０  携帯用容器
１１  容器体
１２  飲み口部
１３  底板部
１４  側板部
１５  肩部
１６  開口部
１７  キャップ
１７ａ  小型キャップ部
１７ｂ  大型キャップ部
１８  蓋部
１９  内筒
２０  外筒
２１  収容室
２１ａ〜２１ｃ  分室
２２  付属物
２２ａ  ミルク
２２ｂ，２２ｃ  シロップ
２３  隔壁
２４  接着剤
【図１】
2005306388.tif 000003
【図２】
2005306388.tif 000004
【図３】
2005306388.tif 000005